(57)【要約】【課題】手摺り等の構築物において、その意匠性を向上させること。【解決手段】手摺りは、一対の端部柱２と、これらの端部柱２の上端部に掛け渡される笠木５と、端部柱２および笠木５を互いに連結する継手６と、を備えている。継手６は、タッピンねじ１１で端部柱２の上端部に固定されるとともに、六角ボルト１２で笠木５の端部に固定される継手ベース６１と、この継手ベース６１を覆い隠した状態で六角ボルト１３で継手ベース６１に固定される継手カバー６２と、を含んでいる。笠木５は、笠木本体５１と、笠木本体５１の内周面に六角ボルト１２および六角ボルト１３を覆い隠すように取り付けられる内周面カバー５９と、を含んでいる。【選択図】図４
2018100571.tif 000002
【特許請求の範囲】
【請求項１】
一対の支柱と、
これらの支柱に掛け渡される横架材と、
前記支柱および前記横架材を互いに連結する継手と、を備えている構築物であって、
前記継手は、第１固定手段で前記支柱に固定されるとともに、第２固定手段で前記横架材に固定される継手ベースと、この継手ベースを覆い隠した状態で第３固定手段で当該継手ベースに固定される継手カバーと、を含み、
前記横架材は、横架材本体と、この横架材本体の内周面に前記第２固定手段および前記第３固定手段を覆い隠すように取り付けられる内周面カバーと、を含んでいる構築物。
【請求項２】
前記継手カバーは、その横架材差込部が前記横架材に差し込まれることにより、当該横架材に係止されるように構成されている請求項１に記載の構築物。
【請求項３】
前記支柱は、平面状の外周面を有し、
前記横架材は、平面状の外周面を有し、
前記継手カバーは、曲面状の外周面を有し、
前記支柱および前記横架材は、それぞれの外周面が前記継手カバーの外周面と段差を生じることなく面一に当該継手カバーを介して連続している請求項１または２に記載の構築物。
【請求項４】
前記支柱は、平面状の左右両側面を有し、
前記横架材は、平面状の左右両側面を有し、
前記継手カバーは、平面状の左右両側面を有し、
前記支柱および前記横架材は、それぞれの左右両側面が前記継手カバーの前記左右両側面と段差を生じることなく面一に当該継手カバーを介して連続している請求項１から３までのいずれかに記載の構築物。
【請求項５】
前記支柱は、平面状の内周面を有し、
前記横架材は、平面状の内周面を有し、
前記継手ベースは、曲面状の内周面を有し、
前記支柱および前記横架材は、それぞれの内周面が前記継手ベースの前記内周面と段差を生じることなく面一に当該継手ベースを介して連続している請求項１から４までのいずれかに記載の構築物。
【請求項６】
前記横架材は、前記横架材本体の全長にわたって前記内周面カバーが設けられている請求項１から５までのいずれかに記載の構築物。
【請求項７】
請求項１から６までのいずれかに記載の構築物の構築方法であって、
前記支柱に前記第１固定手段で前記継手ベースを固定する第１継手ベース固定工程と、
前記横架材に前記第２固定手段で前記継手ベースを固定する第２継手ベース固定工程と、
前記継手ベースに前記第３固定手段で前記継手カバーを前記継手ベースを覆い隠した状態で固定する継手カバー固定工程と、
前記横架材の前記横架材本体の内周面に前記内周面カバーを前記第２固定手段および前記第３固定手段を覆い隠すように取り付ける内周面カバー取付工程と、を含む構築物の構築方法。
【発明の詳細な説明】
【技術分野】
【０００１】
本発明は、例えば、歩道、橋、階段その他に併設される手摺り等の構築物およびその構築方法に関する。
【背景技術】
【０００２】
従来、この種の手摺りとしては、複数の支柱の上側に笠木を掛け渡して取り付けたものが広く用いられている（例えば、特許文献１、２参照）。
【先行技術文献】
【特許文献】
【０００３】
【特許文献１】特開２００８−２４０２８０号公報
【特許文献２】特開２００９−４６９４３号公報
【発明の概要】
【発明が解決しようとする課題】
【０００４】
しかしながら、このような構造の手摺りでは、各支柱に笠木を固定するための固定具（ねじ、ボルト・ナット等）が露出しており、しかも、この固定具はその機能のみが重視されている。そのため、必然的に手摺りの意匠性が低下してしまうという不都合がある。
【０００５】
こうした不都合は、手摺り以外の構築物（例えば、植栽用の間仕切り、車止め用の柵、自動ドアの内側の防護フェンス等）についても同様に発生する。
【０００６】
本発明は、このような事情に鑑み、意匠性を向上させることが可能な構築物およびその構築方法を提供することを目的とする。
【課題を解決するための手段】
【０００７】
本発明に係る構築物（例えば、後述の手摺り１）は、一対の支柱（例えば、後述の端部柱２）と、これらの支柱に掛け渡される横架材（例えば、後述の笠木５）と、前記支柱および前記横架材を互いに連結する継手（例えば、後述の継手６）と、を備えている構築物であって、前記継手は、第１固定手段（例えば、後述のタッピンねじ１１）で前記支柱に固定されるとともに、第２固定手段（例えば、後述の六角ボルト１２）で前記横架材に固定される継手ベース（例えば、後述の継手ベース６１）と、この継手ベースを覆い隠した状態で第３固定手段（例えば、後述の六角ボルト１３）で当該継手ベースに固定される継手カバー（例えば、後述の継手カバー６２）と、を含み、前記横架材は、横架材本体（例えば、後述の笠木本体５１）と、この横架材本体の内周面に前記第２固定手段および前記第３固定手段を覆い隠すように取り付けられる内周面カバー（例えば、後述の内周面カバー５９）と、を含んでいる。
【０００８】
前記継手カバーは、その横架材差込部（例えば、後述の笠木差込片６７）が前記横架材に差し込まれることにより、当該横架材に係止されるように構成されていてもよい。
【０００９】
前記支柱は、平面状の外周面（例えば、後述の外周面２ａ）を有し、前記横架材は、平面状の外周面（例えば、後述の外周面５ａ）を有し、前記継手カバーは、曲面状の外周面（例えば、後述の外周面６６ａ）を有し、前記支柱および前記横架材は、それぞれの外周面が前記継手カバーの外周面と段差を生じることなく面一に当該継手カバーを介して連続していてもよい。
【００１０】
前記支柱は、平面状の左右両側面（例えば、後述の左右両側面２ｂ）を有し、前記横架材は、平面状の左右両側面（例えば、後述の左右両側面５ｂ）を有し、前記継手カバーは、平面状の左右両側面（例えば、後述の左右両側面６６ｂ）を有し、前記支柱および前記横架材は、それぞれの左右両側面が前記継手カバーの前記左右両側面と段差を生じることなく面一に当該継手カバーを介して連続していてもよい。
【００１１】
前記支柱は、平面状の内周面（例えば、後述の内周面２ｃ）を有し、前記横架材は、平面状の内周面（例えば、後述の内周面５ｃ）を有し、前記継手ベースは、曲面状の内周面（例えば、後述の内周面６３ｂ）を有し、前記支柱および前記横架材は、それぞれの内周面が前記継手ベースの前記内周面と段差を生じることなく面一に当該継手ベースを介して連続していてもよい。
【００１２】
前記横架材は、前記横架材本体の全長にわたって前記内周面カバーが設けられていてもよい。
【００１３】
本発明に係る構築物の構築方法は、上記構築物の構築方法であって、前記支柱に前記第１固定手段で前記継手ベースを固定する第１継手ベース固定工程と、前記横架材に前記第２固定手段で前記継手ベースを固定する第２継手ベース固定工程と、前記継手ベースに前記第３固定手段で前記継手カバーを前記継手ベースを覆い隠した状態で固定する継手カバー固定工程と、前記横架材の前記横架材本体の内周面に前記内周面カバーを前記第２固定手段および前記第３固定手段を覆い隠すように取り付ける内周面カバー取付工程と、を含む。
【発明の効果】
【００１４】
本発明によれば、構築物において、継手のノイズレス化により、意匠性を向上させることが可能となる。
【図面の簡単な説明】
【００１５】
【図１】本発明の実施形態に係る手摺りを示す全体斜視図である。
【図２】本発明の実施形態に係る手摺りの端部連結部位を示す斜視図である。
【図３】本発明の実施形態に係る手摺りの中央部連結部位を示す斜視図である。
【図４】本発明の実施形態に係る手摺りの端部連結部位の組立手順を示す工程図である。
【図５】本発明の実施形態に係る手摺りの中央部連結部位の組立手順を示す工程図である。
【発明を実施するための形態】
【００１６】
以下、本発明の実施形態の一例について説明する。
図１は、この実施形態に係る手摺りを示す全体斜視図である。図２は、この実施形態に係る手摺りの端部連結部位を示す斜視図である。図３は、この実施形態に係る手摺りの中央部連結部位を示す斜視図である。図４は、この実施形態に係る手摺りの端部連結部位の組立手順を示す工程図である。図５は、この実施形態に係る手摺りの中央部連結部位の組立手順を示す工程図である。
【００１７】
構築物としての手摺り１は、図１に示すように、左右一対の支柱としてのアルミニウム製の端部柱２と、これらの端部柱２の左右方向の中間に位置するアルミニウム製の中間柱３と、これらの端部柱２および中間柱３の上側に水平に掛け渡される横架材としてのアルミニウム製の笠木５と、各端部柱２の上端部および笠木５の端部を互いに連結するアルミニウム製の継手６と、中間柱３の上端部および笠木５の中央部を互いに連結するステンレス製の取付金具７（図５参照）と、を備えている。
【００１８】
各端部柱２は、それぞれ、図１、図２および図４（ａ）に示すように、角柱状の柱本体２１を有している。柱本体２１の内部の上端部近傍には、２つの螺合部２２が柱本体２１と一体に形成されている。各端部柱２は、それぞれ、平面状の外周面２ａ、平面状の左右両側面２ｂおよび平面状の内周面２ｃを有している。
【００１９】
中間柱３は、図３および図５（ａ）に示すように、角柱状の柱本体３１を有している。柱本体３１の内部の上端部近傍には、２つの螺合部３２が柱本体３１と一体に形成されている。
【００２０】
笠木５は、図１および図４（ｂ）〜（ｄ）に示すように、略角柱状の横架材本体としての笠木本体５１を有している。笠木本体５１の内周面には、裏板嵌合溝５２が笠木本体５１の全長にわたって形成されている。裏板嵌合溝５２の中央部には、図５（ｂ）〜（ｄ）に示すように、細長い平板状のステンレス製の裏板５６が着脱自在に嵌合しており、裏板５６の各端部近傍には、それぞれ雌ねじ部５６ａが形成されている。また、笠木本体５１の各端部近傍には、それぞれ、２つのボルト挿通孔５３および２つの丸孔５５が形成されている。
【００２１】
さらに、笠木本体５１の裏面には一対のカバー係合溝５７が、裏板嵌合溝５２を挟む形で笠木本体５１の全長にわたって凹設されている。これらのカバー係合溝５７には、中間柱３と干渉する部位を除き、笠木本体５１の全長にわたって内周面カバー５９が着脱自在に取り付けられている。内周面カバー５９は、図５（ｄ）に示すように、平板状のカバー本体５９１と、このカバー本体５９１の幅方向の両端部に一体に立設された一対の係合片５９２と、から構成されている。
【００２２】
また、笠木５は、平面状の外周面５ａ、平面状の左右両側面５ｂおよび平面状の内周面５ｃを有している。なお、カバー係合溝５７に内周面カバー５９が取り付けられた状態では、笠木５の内周面５ｃは、笠木本体５１の内周面および内周面カバー５９のカバー本体５９１の内周面から構成されることになる。
【００２３】
継手６は、図２および図４（ａ）〜（ｃ）に示すように、継手ベース６１および継手カバー６２から構成されている。ここで、継手ベース６１は、略円弧断面状のベース本体６３を有している。ベース本体６３は、曲面状（略円弧断面状）の外周面６３ａおよび曲面状（略円弧断面状）の内周面６３ｂを有している。ベース本体６３の外周面６３ａには２つの補強リブ６４がベース本体６３と一体に形成されている。
【００２４】
また、ベース本体６３の下端部には２つのタッピンねじ挿通孔６３ｃが形成されている。そして、これらのタッピンねじ挿通孔６３ｃに、その上方から第１固定手段としての２本のタッピンねじ１１を挿通して端部柱２の螺合部２２にねじ込むことにより、継手ベース６１が端部柱２の上端部に固定された状態になる。
【００２５】
さらに、ベース本体６３の上端部には笠木挿入部６５が横向きに連設されており、笠木挿入部６５には、２つの雌ねじ部６５ａおよび２つのボルト挿通孔６５ｂが形成されている。そして、この笠木挿入部６５が笠木５の端部に挿入された状態で、第２固定手段としての２本の六角ボルト１２を笠木５の端部の下方から笠木５のボルト挿通孔５３に挿通して笠木挿入部６５の雌ねじ部６５ａにねじ込むことにより、継手ベース６１が笠木５の端部に固定された状態になる。
【００２６】
一方、継手カバー６２は、カバー本体６６を有している。カバー本体６６は、曲面状（略円弧断面状）の外周面６６ａおよび平面状の左右両側面６６ｂを有している。カバー本体６６の上部には、横架材差込部としての２つの笠木差込片６７が横向きに突設されている。各笠木差込片６７には、それぞれ雌ねじ部６７ａが形成されている。そして、継手ベース６１の笠木挿入部６５が笠木５の端部に挿入されるとともに、継手カバー６２の笠木差込片６７が笠木５の端部に差し込まれてカバー本体６６が継手ベース６１を覆い隠した状態で、第３固定手段としての２本の六角ボルト１３を笠木５の端部の下方から笠木５の丸孔５５および継手ベース６１のボルト挿通孔６５ｂに順に挿通して継手カバー６２の雌ねじ部６７ａにねじ込むことにより、継手カバー６２が継手ベース６１に固定された状態になる。
【００２７】
取付金具７は、図５に示すように、十文字形板状の金具本体７１を有している。金具本体７１には、その短いアーム部の先端近傍に２つのタッピンねじ挿通孔７１ａが形成されている。そして、これらのタッピンねじ挿通孔７１ａに、その上方から２本のタッピンねじ１５を挿通して中間柱３の螺合部３２にねじ込むことにより、取付金具７が中間柱３の上端部に固定された状態になる。また、金具本体７１には、その長いアーム部の先端近傍に２つのねじ挿通孔７１ｂが形成されている。そして、笠木５の裏板嵌合溝５２に裏板５６が嵌合した状態で、２本のねじ１６を笠木５の中央部の下方から取付金具７のねじ挿通孔７１ｂに挿通して裏板５６の雌ねじ部６５ａにねじ込むことにより、取付金具７が笠木５の中央部に固定された状態になる。
【００２８】
そして、図１に示すように、左右一対の端部柱２および中間柱３の上側に笠木５が掛け渡されて継手６および取付金具７で連結された状態では、端部柱２および笠木５は、それぞれの外周面２ａ、５ａが継手カバー６２の外周面６６ａと段差を生じることなく面一に、かつ、それぞれの左右両側面２ｂ、５ｂが継手カバー６２の左右両側面６６ｂと段差を生じることなく面一に、継手カバー６２を介して連続しているとともに、それぞれの内周面２ｃ、５ｃが継手ベース６１の内周面６３ｂと段差を生じることなく面一に継手ベース６１を介して連続している。そのため、この手摺り１は、左右一対の端部柱２および笠木５の３つの部材が、実際には２つの継手６を介して逆Ｕ字形に連結されているにもかかわらず、一体につながっているように見えるので、意匠性が向上する。
【００２９】
手摺り１は以上のような構成を有するので、この手摺り１の施工等に際して手摺り１を組み立てるときには、以下に述べるとおり、中間柱取付工程、端部柱取付工程（第１継手ベース固定工程、第２継手ベース固定工程および継手カバー固定工程）、内周面カバー取付工程の順で組立作業を進める。
【００３０】
まず、中間柱取付工程で、笠木５の中央部の下側に中間柱３を取り付ける。それには、図５（ａ）に示すように、中間柱３の上側に取付金具７を載置し、この状態で、取付金具７の２つのタッピンねじ挿通孔７１ａに、その上方から２本のタッピンねじ１５を挿通して中間柱３の螺合部３２にねじ込むことにより、取付金具７を中間柱３の上端部に固定する。一方、図５（ｂ）に示すように、笠木５の裏板嵌合溝５２に裏板５６を横から挿入して裏板嵌合溝５２の中央部に位置決めすることにより、笠木５の中央部に裏板５６を取り付ける。この状態で、図５（ｃ）に示すように、２本のねじ１６を笠木５の中央部の下方から取付金具７の２つのねじ挿通孔７１ｂに挿通して裏板５６の雌ねじ部６５ａにねじ込むことにより、取付金具７を笠木５の中央部に固定する。すると、笠木５の中央部の下側に中間柱３が取り付けられた状態になる。ここで、中間柱取付工程が終了する。
【００３１】
次に、端部柱取付工程に移行し、第１継手ベース固定工程（端部柱取付工程の第１工程）に移行し、図４（ａ）に示すように、各端部柱２の上端部にそれぞれ２本のタッピンねじ１１で継手ベース６１を固定する。それには、端部柱２の上側に継手ベース６１を載置し、この状態で、継手ベース６１のタッピンねじ挿通孔６３ｃに、その上方からタッピンねじ１１を挿通して端部柱２の螺合部２２にねじ込む。
【００３２】
その後、第２継手ベース固定工程（端部柱取付工程の第２工程）に移行し、図４（ｂ）に示すように、これらの継手ベース６１を笠木５の両端部に２本ずつの六角ボルト１２で固定する。それには、継手ベース６１の笠木挿入部６５を笠木５の端部に挿入し、この状態で、六角ボルト１２を笠木５の端部の下方から笠木５のボルト挿通孔５３に挿通して笠木挿入部６５の雌ねじ部６５ａにねじ込む。
【００３３】
次いで、継手カバー固定工程（端部柱取付工程の第３工程）に移行し、各継手ベース６１にそれぞれ、２本の六角ボルト１３で継手カバー６２を継手ベース６１を覆い隠した状態で固定する。それには、図４（ｃ）に示すように、継手カバー６２の笠木差込片６７を笠木５の端部に差し込み、この状態で、図４（ｄ）に示すように、六角ボルト１３を笠木５の端部の下方から笠木５の丸孔５５および継手ベース６１のボルト挿通孔６５ｂに順に挿通して継手カバー６２の雌ねじ部６７ａにねじ込む。ここで、端部柱取付工程が終了する。
【００３４】
最後に、内周面カバー取付工程に移行し、図４（ｅ）および図５（ｄ）に示すように、笠木５の笠木本体５１の内周面に内周面カバー５９を六角ボルト１２、１３、取付金具７およびねじ１６を覆い隠すように取り付ける。それには、内周面カバー５９の一対の係合片５９２を笠木５の一対のカバー係合溝５７に係合させる。このとき、内周面カバー５９は、中間柱３と干渉する部位を除いて、笠木本体５１の全長にわたって取り付ける。ここで、内周面カバー取付工程が終了する。
【００３５】
その結果、手摺り１は、図１〜図３に示すように、その両端部に一対の端部柱２が配置された状態で、かつ、端部連結部位（各端部柱２と笠木５との連結部位）において、継手ベース６１が継手カバー６２で覆い隠されるとともに、六角ボルト１２、１３が内周面カバー５９で覆い隠され、また、中央部連結部位（中間柱３と笠木５との連結部位）において、取付金具７およびねじ１６が内周面カバー５９で覆い隠されたノイズレス状態になり、ここで手摺り１の組立作業が完了する。
【００３６】
なお、ここでは、中間柱取付工程、端部柱取付工程の順で組立作業を進めたが、笠木５の端部に切欠きを設けて裏板５６を通すようにすれば、これらの工程の順番を逆にして、端部柱取付工程、中間柱取付工程の順で組立作業を進めることもできる。また、一方の端部柱２を笠木５に取り付けた後、中間柱３を笠木５に取り付けてから、他方の端部柱２を笠木５に取り付けることも可能である。さらに、端部柱取付工程において、第１継手ベース固定工程および第２継手ベース固定工程の順番を逆にしても構わない。
【００３７】
このような手摺り１は、その組立後の状態において、継手ベース６１が継手カバー６２で覆い隠されているので、継手６のノイズレス化により、手摺り１の意匠性を向上させることができる。
【００３８】
また、手摺り１は、笠木５の内周面５ｃに内周面カバー５９が笠木本体５１の全長にわたって設けられているので、笠木５の内周面５ｃが見えやすい用途（手摺り１の施工環境）においても、意匠性を一層向上させることができる。
【００３９】
さらに、手摺り１は、端部柱２、中間柱３、笠木５および継手６が揃ってアルミニウムから形成されているので、手摺り１に全体的な統一感、ひいては高級感を付与することができる。
【００４０】
また、手摺り１は、継手６が２つの部材（継手ベース６１および継手カバー６２）から構成されている。そのため、この継手６を鋳造する場合には、一体物の継手の鋳造に比べて、鋳造用金型が安価になることから、継手６の製造コストを削減することができる。
【００４１】
以上、本発明の実施形態について説明したが、本発明は上述した実施形態に限るものではない。また、本実施形態に記載された効果は、本発明から生じる最も好適な効果を列挙したに過ぎず、本発明による効果は、本実施形態に記載されたものに限定されるものではない。
【００４２】
例えば、上述した実施形態では、笠木５の内周面５ｃの意匠性の向上を目的として、笠木５の内周面５ｃに内周面カバー５９を笠木本体５１の全長にわたって設ける場合について説明した。しかし、例えば、笠木５の内周面５ｃが見えにくい用途においては、必ずしも内周面カバー５９を笠木本体５１の全長にわたって設ける必要はなく、六角ボルト１２、１３、取付金具７およびねじ１６のみを覆い隠すように設けても構わない。
【００４３】
また、上述した実施形態では、手摺り１全体の意匠性の向上を目的として、端部柱２、中間柱３、笠木５および継手６（つまり、露出している部材）が、すべてアルミニウムから形成されている手摺り１について説明した。しかし、手摺り１として必要な強度を発現できる限り、これらの部材の全部または一部をアルミニウム以外の材料（例えば、合成樹脂、ステンレスなど）から形成してもよい。さらに、手摺り１の用途その他の状況に応じて、これらの部材の表面に粉体塗装などのコーティングを施しても構わない。
【００４４】
また、上述した実施形態では、笠木５が水平な手摺り１について説明したが、これに限らず、笠木５が全体的または部分的に傾斜していたり曲線状または階段状になっていたりする手摺り１に本発明を同様に適用することも可能である。
【００４５】
また、上述した実施形態では、笠木５の内周面５ｃに内周面カバー５９が取り付けられた手摺り１について説明した。このとき、内周面カバー５９のカバー本体５９１を透光性にしておけば、必要に応じて、内周面カバー５９の裏側（笠木５の内部）に照明素子（図示せず）を埋め込むことにより、笠木５の意匠性を高く維持したまま手摺り１に照明機能を付与することもできる。
【００４６】
また、上述した実施形態では、左右一対の端部柱２および中間柱３で笠木５を支持する構造の手摺り１について説明した。しかし、中間柱３を省いて左右一対の端部柱２のみで笠木５を支持する構造にしても構わない。この場合、手摺り１の組立に際して中間柱取付工程を省くことができるため、手摺り１の組立作業を迅速かつ低廉に行うことが可能となる。
【００４７】
さらに、上述した実施形態では、本発明を手摺り１に適用する場合について説明したが、手摺り１以外の構築物（例えば、植栽用の間仕切り、車止め用の柵、自動ドアの内側の防護フェンス等）にも、本発明を同様に適用することができる。
【符号の説明】
【００４８】
１……手摺り（構築物）
２……端部柱（支柱）
２ａ……外周面
２ｂ……左右両側面
２ｃ……内周面
３……中間柱
５……笠木（横架材）
５ａ……外周面
５ｂ……左右両側面
５ｃ……内周面
６……継手
１１……タッピンねじ（第１固定手段）
１２……六角ボルト（第２固定手段）
１３……六角ボルト（第３固定手段）
５１……笠木本体（横架材本体）
５９……内周面カバー
６１……継手ベース
６２……継手カバー
６３ａ……外周面
６３ｂ……内周面
６６ａ……外周面
６６ｂ……左右両側面
６７……笠木差込片（横架材差込部）
【図１】
2018100571.tif 000003
【図２】
2018100571.tif 000004
【図３】
2018100571.tif 000005
【図４】
2018100571.tif 000006
【図５】
2018100571.tif 000007